(57)【特許請求の範囲】
【請求項１】
タッチパネルと、
該タッチパネルを振動させるために該タッチパネルの裏面に取り付けられた振動部と、
前記タッチパネルに取り付けられた弾性シール部材と、
前記タッチパネルの上面周縁部を覆うように筐体に装着されたベゼルと、を備え、
前記弾性シール部材は、前記ベゼルに全体を覆われたものであって、
前記タッチパネルの側面全周に亘って固着されて、前記筐体の前記タッチパネルの取り付け開口部の壁面に、前記タッチパネルと一体に摺動可能に圧接される圧接部と、
前記タッチパネルの周囲の少なくとも一部において前記ベゼルの装着部に延在して、前記ベゼルと前記筐体との間に挟持される被挟持部と、を有する、
ことを特徴とする電子機器。
【請求項２】
タッチパネルと、
該タッチパネルを振動させるために該タッチパネルの裏面に取り付けられた振動部と、
前記タッチパネルに取り付けられた弾性シール部材と、
前記タッチパネルの上面周縁部を覆うように筐体に装着されたベゼルと、を備え、
前記弾性シール部材は、前記ベゼルに全体を覆われたものであって、
前記タッチパネルの側面全周に亘って接触されて、前記筐体の前記タッチパネルの取り付け開口部の壁面に、前記タッチパネルと一体に摺動可能に圧接される圧接部と、
前記タッチパネルの底面端部全周に亘って固着されて、前記タッチパネルを載置する受け部と、
前記タッチパネルの周囲の少なくとも一部において前記ベゼルの装着部に延在して、前記ベゼルと前記筐体との間に挟持される被挟持部と、を有する、
ことを特徴とする電子機器。
【発明の詳細な説明】
【技術分野】
【０００１】
本発明は、タッチパネルを備える電子機器に関するものである。
【背景技術】
【０００２】
現在、電子機器の入力装置として、タッチパネルやタッチパッドなどが広く採用されている。そのような入力装置において、操作者がタッチパネルやタッチパッドなどを操作した際に、タッチパネルやタッチパッドを振動させることにより、操作者の指先などに操作感をフィードバックするものが提案されている（例えば、特許文献１参照）。
【０００３】
図８は、特許文献１に記載の電子機器の分解斜視図である。図８に示すように、特許文献１に記載の電子機器（ディスプレイ装置）は、ディスプレイモニタ１００、パネル固定用フレーム２１０、タッチパネル４００、およびカバー５００を備えている。この電子機器は、タッチパネル４００等の各部品が、上記ディスプレイモニタ１００に対して組付けられることにより構成されている。
【０００４】
特許文献１に記載の電子機器において、ディスプレイモニタ１００は、液晶ディスプレイ（ＬＣＤ）からなり、全体が矩形かつ扁平な形状を有している。ディスプレイモニタ１００は、図示しない制御装置による制御に従って、例えばキーやボタン等のオブジェクトまたは各種の情報などを、その表示面に表示する。このディスプレイモニタ１００の表示面上には、当該モニタ１００とほぼ同じ大きさのタッチパネル４００が位置するように組付けられる。
【０００５】
タッチパネル４００は、例えば透明な樹脂板にマトリクス状のスイッチ回路が形成され、パネル表面が操作者の指先などにより接触されると、その接触位置に応じた検出信号を制御装置に出力するように構成されている。つまり、操作者は、タッチパネル４００を通して映し出されるディスプレイモニタ１００の表示に従って当該パネル４００に対して操作を行うことにより、電子機器に対して当該表示に応じた各種情報を入力することができる。
【０００６】
この電子機器においては、図８に示すように、タッチパネル４００の裏面側の対向する２辺に沿って、それぞれ圧電素子（ピエゾ素子）４２０が貼り付けられている。タッチパネル４００が操作者による接触を検出すると、この電子機器は、制御装置から圧電素子４２０に駆動信号（電圧）を付与する。この駆動信号を受信すると、圧電素子４２０は伸縮するため、この電子機器は、タッチパネル４００の操作面に対して振動を発生させることができる。すなわち、上記操作に伴って、タッチパネル４００が振動することにより、操作者は操作感を得ることができるようになっている。
【０００７】
なお、この電子機器において、タッチパネル４００は、パネル固定用フレーム２１０を介してディスプレイモニタ１００に組付けられている。パネル固定用フレーム２１０は、ＡＢＳ等の硬質の樹脂材料から形成されることにより全体が剛性を有した構成となっている。
【０００８】
図８に示すように、パネル固定用フレーム２１０には、タッチパネル４００をその四隅において保持するホルダ２２０が組付けられる。図９は、４つのホルダ２２０のうち１つが、タッチパネル４００の隅に取り付けられる様子を示す拡大図である。各ホルダ２２０には、タッチパネル４００の角部を差込み可能なスリット状の差込み部３６０がそれぞれ形成されている。また、図８に示すように、パネル固定用フレーム２１０の周囲側面には、各側面それぞれの端部付近に、ホルダ２２０を固定するための固定孔３２０が設けられている。そして、図９に示すホルダ２２０に形成されたフック３４０ａが、図８に示す各固定孔３２０に差し込まれることにより、各ホルダ２２０は、タッチパネル４００をパネル固定用フレーム２１０に固定される。
【０００９】
このように、各ホルダ２２０にタッチパネル４００の四隅がそれぞれ差込まれると、各ホルダ２２０は、タッチパネル４００を四隅で外側から拘束するとともに、厚み方向の両側からも拘束した状態で保持する。したがって、特許文献１に記載の電子機器は、タッチパネル４００が固定されるように配置することができる。
【００１０】
また、ホルダ２２０は、それぞれ、パネル固定用フレーム２１０よりも弾性係数の小さい材料から形成されており、例えばシリコン系の樹脂またはゴムにより一体成型されている。このように、ホルダ２２０は、タッチパネル４００を安定的に保持する一方で、タッチパネル４００が振動できるように弾性変形可能に構成されている。なお、タッチパネル４００とディスプレイモニタ１００との間には、タッチパネル４００の厚み方向の変位を可能とする隙間が確保される。このため、圧電素子４２０が振動する際に、当該振動に伴うタッチパネル４００の厚み方向の変位が可能となっている。
【００１１】
したがって、特許文献１に記載の電子機器は、タッチパネル４００を振動させる際に、その振動を大きく妨げることがないようになっているため、タッチパネル４００の振動による操作感を良好に確保することができる。
【先行技術文献】
【特許文献】
【００１２】
【特許文献１】特開２０１０−４４４９７号公報
【発明の概要】
【発明が解決しようとする課題】
【００１３】
しかしながら、特許文献１に記載の電子機器は、例えば車載用ナビゲーションシステムのディスプレイ装置などを想定しており、電子機器そのものの防塵対策および防水対策は特に施されていない。例えば、図８に示す電子機器を組み立てると、タッチパネル４００は、弾性材料のホルダ２２０の差込み部３６０に差し込まれた状態で、つまりホルダ２２０を介して、パネル固定用フレーム２１０に取り付けられる。これは、タッチパネル４００をパネル固定用フレーム２１０に強固に固定してしまうと、圧電素子４２０が振動する際に、タッチパネル４００が厚み方向に変位せず、タッチパネル４００を良好に振動させることができなくなるためである。したがって、タッチパネル４００とパネル固定用フレーム２１０との間には、隙間ができることになり、当該隙間から埃や水分が浸入することが多分に想定される。
【００１４】
そこで、特許文献１に記載の電子機器において、防塵対策として、例えば、タッチパネル４００とパネル固定用フレーム２１０との間に防塵用クッションなどの部材を挿入することが考えられる。しかし、このような防塵用クッションは、ある程度圧縮可能な材質を用いたとしても、圧縮後の厚さのぶんだけタッチパネルが振動する物理的なスペースを奪ってしまうことになる。したがって、このような構造においては、タッチパネルが振動する際の振幅を稼ぐことができないことになる。
【００１５】
また、特許文献１に示されている電子機器に対して防水を施す場合、外部からの埃や水の浸入を防ぐために、例えば、タッチパネル４００と当該タッチパネル４００の周囲を覆う部材との間を防水テープで固着するという対策が考えられる。例えば図８に示したように、パネル固定用フレーム２１０を介してタッチパネル４００とディスプレイモニタ１００とを組み合わせたものに、さらにカバー５００を装着する場合、カバー５００とタッチパネル４００とを防水テープで固着することが想定される。このようにすれば、カバー５００とタッチパネル４００との隙間を埋めることができるため、外部からの水の浸入を防ぐことが可能になる。
【００１６】
しかしながら、このようにカバー５００とタッチパネル４００とを防水テープで固着してしまうと、タッチパネル４００が振動する際の振幅を稼ぐことができなくなるとともに、タッチパネル４００を振動させる際の振幅を抑制してしまうことになる。
【００１７】
かかる事情に鑑みてなされた本発明の目的は、タッチパネルの振動を可能な限り減殺させずに防塵および防水対策を施した電子機器を提供することにある。
【課題を解決するための手段】
【００１８】
上記目的を達成する本発明に係る電子機器は、  タッチパネルと、
該タッチパネルを振動させるために該タッチパネルの裏面に取り付けられた振動部と、
前記タッチパネルに取り付けられた弾性シール部材と、
前記タッチパネルの上面周縁部を覆うように筐体に装着されたベゼルと、を備え、
前記弾性シール部材は、前記ベゼルに全体を覆われたものであって、
前記タッチパネルの側面全周に亘って固着されて、前記筐体の前記タッチパネルの取り付け開口部の壁面に、前記タッチパネルと一体に摺動可能に圧接される圧接部と、
前記タッチパネルの周囲の少なくとも一部において前記ベゼルの装着部に延在して、前記ベゼルと前記筐体との間に挟持される被挟持部と、を有する、
ことを特徴とするものである。
【００１９】
さらに、上記目的を達成する本発明に係る電子機器は、  タッチパネルと、
該タッチパネルを振動させるために該タッチパネルの裏面に取り付けられた振動部と、
前記タッチパネルに取り付けられた弾性シール部材と、
前記タッチパネルの上面周縁部を覆うように筐体に装着されたベゼルと、を備え、
前記弾性シール部材は、前記ベゼルに全体を覆われたものであって、
前記タッチパネルの側面全周に亘って接触されて、前記筐体の前記タッチパネルの取り付け開口部の壁面に、前記タッチパネルと一体に摺動可能に圧接される圧接部と、
前記タッチパネルの底面端部全周に亘って固着されて、前記タッチパネルを載置する受け部と、
前記タッチパネルの周囲の少なくとも一部において前記ベゼルの装着部に延在して、前記ベゼルと前記筐体との間に挟持される被挟持部と、を有する、
ことを特徴とするものである。
【発明の効果】
【００２０】
本発明によれば、タッチパネルの振動を可能な限り減殺させずに、防塵性および防水性を向上させた電子機器を提供することが可能となる。
【図面の簡単な説明】
【００２１】
【図１】本発明の一実施の形態に係る電子機器の外観斜視図である。
【図２】図１の電子機器を分解した外観斜視図である。
【図３】図１の電子機器をさらに分解した外観斜視図である。
【図４】図３の弾性シール部材およびタッチパネルを分解して一部切り欠いた外観斜視図である。
【図５】図３の弾性シール部材およびタッチパネルを裏面から見た平面図である。
【図６】図１の電子機器のＶＩ−ＶＩ線拡大断面図である。
【図７】図１の電子機器の変形例を示す拡大断面図である。
【図８】従来の電子機器の構成を示す分解斜視図である。
【図９】図８の部分拡大斜視図である。
【発明を実施するための形態】
【００２２】
以下、本発明の一実施の形態について、図を参照して説明する。
【００２３】
図１は、本発明の一実施の形態に係る電子機器の外観を示す斜視図である。図１に示す電子機器１は、外観上、筐体１０と、タッチパネル２０と、ベゼル３０と、を備える。筐体１０は、図示の例では一つの筐体として示しているが、上部筐体と下部筐体とが一体に組み合わされて構成される場合もある。この場合、上部筐体と下部筐体との間は、これらが一体に組み合わされた状態において、例えばゴム製のパッキンを介した密閉構造にする等して、適当な防塵および防水の措置が施されているものとする。筐体１０は、ある程度の衝撃に耐えうる例えば樹脂により構成するのが好適である。
【００２４】
タッチパネル２０は、後述するように表示部の表示面側に配置されて、表示部に表示されたオブジェクトに対する操作者の指やスタイラスペン等（以下、単に「接触物」と総称する）による接触を、対応するタッチパネル２０のタッチ面において検出する。したがって、本実施の形態において、「タッチパネル」とは、表示部の前面に配置される部材、すなわち当該表示部とは別に設けられる部材を想定して説明する。また、タッチパネル２０は、タッチ面に対する接触物の接触の位置を検出し、当該検出した接触の位置を制御部（図示せず）に通知する。
【００２５】
このタッチパネル２０は、例えば抵抗膜方式、静電容量方式、光学式等の方式のものを用いることができる。なお、タッチパネル２０が接触物による接触を検出する上で、接触物がタッチパネル２０に物理的に触れることは必須ではない。例えば、タッチパネル２０が光学式である場合は、タッチパネル２０は当該タッチパネル２０上の赤外線が接触物で遮られた位置を検出するため、接触物がタッチパネル２０に触れることは不要である。
【００２６】
ベゼル３０は、タッチパネル２０の上面の周縁部を覆うように、筐体１０の上部に装着されている。つまり、本実施の形態において、ベゼル３０は、筐体１０を支持部材として、筐体１０とタッチパネル２０との間に跨るように筐体１０に装着されている。そして、ベゼル３０は、後述する防塵および防水用の弾性シール部材と協働して、筐体１０とタッチパネル２０との間の防塵および防水の機能を果たしている。ベゼル３０は、例えば金属製、プラスチック製、樹脂製などとすることができ、薄型ながらもある程度の強度を有する素材で構成するのが好適である。
【００２７】
図２は、図１に示した電子機器１において、筐体１０からベゼル３０を取り外した状態を示す分解斜視図である。図２に示すように、ベゼル３０は、筐体１０の上部に段差状に成形された装着部１０ａに嵌め込まれるように構成されている。また、タッチパネル２０の周囲には、防塵および防水用の弾性シール部材４０が取り付けられている。ベゼル３０は、弾性シール部材４０およびタッチパネル２０の周縁部を覆うことによって、弾性シール部材４０およびタッチパネル２０の周縁が外部から見えないようにしている。
【００２８】
図３は、図２に示したベゼル３０を取り外した後、さらに筐体１０からタッチパネル２０および弾性シール部材４０を一体に取り外した状態を示す分解斜視図である。弾性シール部材４０は、例えばシリコンゴムからなり、タッチパネル２０に固着されて、筐体１０の取り付け開口部１０ｂに圧入される。
【００２９】
タッチパネル２０は、その少なくとも四隅において支持子５０を介して表示部６０の表示面側に位置するように四点支持される。支持子５０は、弾性シール部材４０よりも硬度の高いシリコンゴムなどの弾性体とするのが好適である。支持子５０は、その一端面がタッチパネル２０の下面に接着され、他端面は、筐体１０の底部や筐体１０に固定された固定部、あるいは表示部６０の上面の表示領域以外の領域に接着される。なお、タッチパネル２０の支持点数は、四点支持に限らず、タッチパネル２０の大きさに応じて、六点支持等、適宜設定することができる。本実施の形態においては、タッチパネル２０が四個の支持子５０を介して表示部６０の上面に四点支持される場合を例示している。
【００３０】
表示部６０は、例えば操作者が入力の操作に用いる押しボタンスイッチ等の各種のオブジェクトを画像で表示する。このオブジェクトは、タッチパネル２０のタッチ面上において接触すべき領域を操作者に示唆する画像である。この表示部６０は、例えば、液晶表示パネル（ＬＣＤ）や有機ＥＬ表示パネル等を用いて構成される。
【００３１】
図４は、図３に示した弾性シール部材４０からタッチパネル２０を取り外した状態を一部切り欠いて示す分解斜視図である。また、図５は、図３に示した弾性シール部材４０を固着したタッチパネル２０を裏面から見た平面図である。タッチパネル２０の裏面には、対向する二辺の近傍で、ベゼル３０により覆われる部分にそれぞれ振動部を構成する圧電素子７０が接着されている。圧電素子７０は、例えば長さ方向に伸縮するもので、対応するタッチパネル２０の辺に沿って、例えば両面テープまたは接着剤などにより接着される。そして、圧電素子７０は、図示しない制御部から電圧が印加されると、その長手方向に伸縮してタッチパネル２０を圧電素子７０の長手方向に平行な方向に湾曲させる。これにより、圧電素子７０は、印加電圧に応じた振動パターンでタッチパネル２０を振動させて、タッチパネル２０のタッチ面に接触している接触物に対して触感を呈示する。
【００３２】
弾性シール部材４０は、タッチパネル２０の周囲に亘って取り付けられている。この弾性シール部材４０は、タッチパネル２０の側面全周に亘って固着されて、筐体１０の取り付け開口部１０ｂに圧入される。また、弾性シール部材４０は、取り付け開口部１０ｂの壁面１０ｃに側圧により圧接される圧入部４０ａを有している。圧入部４０ａは、開口部１０ｂの壁面１０ｃに圧接される部分が、例えば断面半円状の突状に形成されて、タッチパネル２０の湾曲振動に従って壁面１０ｃ（図３参照）を摺動可能に構成されている。
【００３３】
また、弾性シール部材４０は、タッチパネル２０の全周に亘ってベゼル３０の筐体１０への装着部１０ａに延在して、ベゼル３０と筐体１０との間に挟持される被挟持部４０ｂを有する。さらに、弾性シール部材４０は、タッチパネル２０の下面縁部に固着される受け部４０ｃを有する。なお、図４および図５は、受け部４０ｃが、タッチパネル２０の下面縁部の全周に亘って設けられている場合を例示しているが、この受け部４０ｃは、部分的に設けてもよい。
【００３４】
弾性シール部材４０は、タッチパネル２０と一体成型によりタッチパネル２０に取り付けられるか、あるいは、圧入部４０ａにおいて防水両面テープや接着剤による接着などによりタッチパネル２０に取り付けられる。
【００３５】
タッチパネル２０は、例えば、裏面に圧電素子７０が固着され、かつ周囲に弾性シール部材４０が取り付けられた状態で、弾性シール部材４０の圧入部４０ａを縮めながら、図３に示した筐体１０の取り付け開口部１０ｂに嵌め込まれる。これにより、弾性シール部材４０の圧入部４０ａが、筐体１０の取り付け開口部１０ｂに圧入されて、圧入部４０ａが取り付け開口部１０ｂの壁面１０ｃに側圧により圧接される。その後、ベゼル３０が筐体１０の装着部１０ａに装着されて、ベゼル３０の装着部１０ａに延在する被挟持部４０ｂが、ベゼル３０と筐体１０との間に挟持される。
【００３６】
図６は、図１のＶＩ−ＶＩ線の拡大断面図である。図６に示すように、タッチパネル２０は、その側面全周に設けられた弾性シール部材４０の圧入部４０ａを介して、筐体１０の取り付け開口部１０ｂの壁面１０ｃに側圧により圧接される。これにより、タッチパネル２０と筐体１０との間の防塵および防水効果が得られる。
【００３７】
また、弾性シール部材４０は、全周に亘って設けられた被挟持部４０ｂが、ベゼル３０の装着部１０ａにおいて、ベゼル３０と筐体１０との間に挟持される。これにより、防塵および防水効果をさらに高めることができるとともに、タッチパネル２０の湾曲振動の振幅を可能な限り抑制せずに、圧入部４０ａを、タッチパネル２０の湾曲振動に正確に追従させて、開口部１０ｂの壁面１０ｃ上で摺動させることができる。つまり、被挟持部４０ｂをベゼル３０と筐体１０との間に挟持して固定することにより、圧入部４０ａが開口部１０ｂの壁面１０ｃ上で摺動変位した際に、圧入部４０ａと被挟持部４０ｂとの連結部分に、圧入部４０ａを元の状態（位置）に戻そうとする弾性力（復元力）が作用することになる。これにより、圧入部４０ａは、タッチパネル２０の湾曲振動に正確に追従して、開口部１０ｂの壁面１０ｃを摺動することになる。
【００３８】
なお、被挟持部４０ｂをベゼル３０と筐体１０との間に挟持する場合、好ましくは、ベゼル３０と被挟持部４０ｂとの間、および、筐体１０と被挟持部４０ｂとの間を防水用両面テープ等により接着する、あるいは、被挟持部４０ｂをベゼル３０および筐体１０により圧縮した状態で挟持する。これにより、防塵および防水効果をさらに高めることができる。
【００３９】
このように、本実施の形態に係る電子機器１によれば、圧電素子７０によりタッチパネル２０を湾曲振動させる構成において、タッチパネル２０の振動を可能な限り減殺させずに、防塵性および防水性を向上させることが可能となる。
【００４０】
なお、本発明は、上記実施の形態にのみ限定されるものではなく、幾多の変形または変更が可能である。例えば、上記実施の形態において、タッチパネル２０は、圧電素子７０が振動すると、圧電素子７０の長さ方向と平行な辺が、他の辺よりも大きく湾曲変位する。したがって、弾性シール部材４０の圧入部４０ａは、タッチパネル２０の湾曲変位の大きい辺における側圧が、他の辺における側圧よりも小さくなるように構成して、タッチパネル２０がよりスムーズに湾曲変位できるように構成することもできる。
【００４１】
また、タッチパネル２０の湾曲変位の小さい辺では、当該辺に対応する圧入部４０ａの摺動変位も小さいので、当該辺に対応する被挟持部４０ｂを省略することも可能である。この場合、当該辺に対応する圧入部４０ａは、側圧を比較的大きくして、防塵および防水機能をさらに高めるようにすることが好ましい。
【００４２】
さらに、図７に図６と同様の拡大断面図を示すように、被挟持部４０ｂには、適宜の複数箇所に孔４０ｄを形成し、ベゼル３０には、孔４０ｄを貫通する突起３０ａを形成して、突起３０ａを孔４０ｄに貫通させて、被挟持部４０ｂをベゼル３０の装着部１０ａにおいて、ベゼル３０と筐体１０との間に挟持することもできる。このように構成すれば、被挟持部４０ｂを、ベゼル３０と筐体１０との間に位置ずれを生じることなく保持することができるので、長期間に亘ってタッチパネル２０の安定した湾曲変位が可能となる。
【００４３】
また、弾性シール部材４０の受け部４０ｃは、圧入部４０ａのタッチパネル２０に対する固着が充分であれば、省略することも可能である。さらに、タッチパネル２０は、支持子５０による支持を省略して、弾性シール部材４０により筐体１０の取り付け開口部１０ｂに湾曲変位可能に支持するようにしてもよい。
【００４４】
さらに、上記実施の形態では、タッチパネル２０の周囲に亘って圧入部４０ａを固着した場合について説明したが、タッチパネル２０の周囲に亘って圧入部４０ａが接触した状態で、タッチパネル２０の底面端部全周に亘って受け部４０ｃを固着するようにしてもよい。さらには、タッチパネル２０が圧入部４０ａおよび受け部４０ｃの双方に固着するようにしてもよい。
【００４５】
また、上記実施の形態では、タッチパネル２０およびベゼル３０の支持部材が筐体１０である場合について説明したが、表示部６０の図示しないホルダ等、筐体１０に直接あるいは間接的に固定される部材であってもよく、本発明における筐体はこれらの部材を含むものを意味するものである。
【００４６】
また、上述した実施の形態においては、タッチパネル２０の裏側に配置した表示部６０にオブジェクトを表示してタッチパネル２０が操作者の接触を検出する態様について説明した。しかしながら、本発明はこのような態様に限定されるものではなく、例えば表示部６０を有さずに、タッチパネル２０のタッチ面上にオブジェクトがインクなどにより直接印刷されているような態様を想定することもできる。
【００４７】
また、上記実施の形態では、タッチパネル２０を用いて、当該タッチパネル２０のタッチ面に対する接触を検出した。すなわち、上記実施の形態において、「タッチパネル２０」は、いわゆるタッチセンサのような部材を想定して説明した。しかしながら、本発明による電子機器に用いるタッチパネルは、操作者の指やスタイラスペンなどの接触物により接触されるものであれば任意のものとすることができる。
【００４８】
例えば、本発明による電子機器に用いるタッチパネルは、タッチ面に対する接触物の接触の位置を検出しない（つまりセンシング機能を有さない）、単なる「パネル」のような部材とすることもできる。また、接触位置のセンシング機能の有無に関わらず、例えば、タッチパネルに対する押圧を検出する押圧検出部をさらに設け、該押圧検出部が検出する押圧に基づいて、タッチパネルに対する接触がなされたものと判定して、振動部を駆動してタッチパネルを振動させることができる。
【００４９】
このような押圧検出部は、タッチパネルのタッチ面に対する押圧を検出するもので、例えば、押圧に応じて物理的または電気的な特性（歪み、抵抗、電圧等）が変化する歪みゲージセンサや圧電素子等を任意の個数用いて構成することができる。また、振動部を圧電素子とした場合には、当該圧電素子を押圧検出部としても用いることができる。このような構成を採用して、押圧によるタッチパネルの歪みを検出することにより、当該歪みからタッチパネルに対する押圧を算出するなどの構成を想定することができる。
【００５０】
例えば、押圧検出部が圧電素子等を用いて構成された場合、押圧検出部の圧電素子は、タッチパネルのタッチ面に対する押圧に係る荷重（力）の大きさ（または、荷重（力）の大きさが変化する速さ（加速度））に応じて、電気的な特性である電圧の大きさ（電圧値）が変化する。この場合、押圧検出部は、この電圧の大きさ（電圧値（以下、単にデータと称する））を制御部に通知することができる。制御部は、押圧検出部がデータを制御部に通知することにより、または、制御部が押圧検出部の圧電素子に係るデータを検出することにより、当該データを取得する。つまり、制御部は、タッチパネルのタッチ面に対する押圧に基づくデータを取得する。すなわち、制御部は、押圧検出部から押圧に基づくデータを取得する。そして、制御部は、押圧に基づくデータが所定の基準を満たした場合に、接触がなされたものと判定し、所定の振動を発生することができる。ここで、上記所定の基準は、表現したい押しボタンスイッチの押圧時の荷重特性に応じて適宜設定することができる。
【００５１】
さらに、このような押圧検出部は、タッチパネルにおける接触検出方式に応じて構成することができる。例えば、抵抗膜方式の場合には、接触面積の大きさに応じた抵抗の大きさを、タッチパネルのタッチ面に対する押圧の荷重（力）に対応付けることにより、歪みゲージセンサや圧電素子等を用いることなく構成することができる。あるいは、静電容量方式の場合には、静電容量の大きさを、タッチパネルのタッチ面に対する押圧の荷重（力）に対応付けることにより、歪みゲージセンサや圧電素子等を用いることなく構成することができる。
【００５２】
また、振動部は、任意の個数の圧電振動子を用いて構成したり、タッチパネルの全面に透明圧電素子を設けて構成したり、偏心モータを駆動信号の１周期で１回転させるようにして構成したり、することもできる。さらに、押圧検出部および振動部は、圧電素子を用いて構成する場合は、圧電素子を共用して押圧検出部兼振動部を構成することもできる。圧電素子は、圧力が加わると電圧を発生し、電圧が加えられると変形するためである。
【００５３】
また、上述したように、振動部は、押圧検出部も兼ねる圧電素子の電圧の大きさ（電圧値（データ））が所定の基準を満たした際に、当該圧電素子を駆動することにより振動を発生するようにもできる。ここで、圧電素子の電圧の大きさ（電圧値（データ））が所定の基準を満たした際とは、電圧値（データ）が所定の基準値に達した際であってもよいし、電圧値（データ）が所定の基準値を超えた際でもよいし、所定の基準値と等しい電圧値（データ）が検出された際でもよい。
【００５４】
なお、振動部は、タッチパネルに圧電素子を配設することにより、タッチパネルを直接的に振動させるように構成してもよいし、振動モータ（偏心モータ）などに基づいて電子機器を振動させることにより、タッチパネルを間接的に振動させるように構成してもよい。
【００５５】
また、上述した実施形態においては、タッチパネル２０を表示部６０の表示面側に重ねて配置した構成について説明した。しかしながら、本発明による電子機器は、このような構成に限られるものではなく、タッチパネル２０と表示部６０とを離間した構成にすることもできる。しかしながら、タッチパネルを表示部６０の表示面側に重ねて配置した構成とする方が、表示される画像と、操作入力が検出される領域および発生する振動との対応関係を、操作者に容易に認識させることができる。
【００５６】
上述した実施の形態の説明において、表示部６０およびタッチパネル２０は、表示部と接触検出部との両機能を共通の基板に持たせる等により、一体化した装置によって構成されるようにしてもよい。このように表示部と接触検出部との両機能を一体化した装置の一例としては、液晶パネルが有するマトリクス状配列の画素電極群に、フォトダイオード等の複数の光電変換素子を規則的に混在させたものを挙げることができる。この装置は、液晶パネル構造によって画像を表示する一方で、パネル表面の所望位置をタッチ入力するペンの先端で液晶表示用のバックライトの光を反射させ、この反射光を周辺の光電変換素子で受光することによって、タッチ位置を検出することができる。
【符号の説明】
【００５７】
１  電子機器
１０  筐体
１０ａ  装着部
１０ｂ  取り付け開口部
１０ｃ  壁面
２０  タッチパネル
３０  ベゼル
４０  弾性シール部材
４０ａ  圧入部
４０ｂ  被挟持部
４０ｃ  受け部
５０  支持子
６０  表示部
７０  圧電素子
【図１】
0005809081.tif 000002
【図２】
0005809081.tif 000003
【図３】
0005809081.tif 000004
【図４】
0005809081.tif 000005
【図５】
0005809081.tif 000006
【図６】
0005809081.tif 000007
【図７】
0005809081.tif 000008
【図８】
0005809081.tif 000009
【図９】
0005809081.tif 000010